(57)【要約】      （修正有）【課題】複数の中綿により保水力が大きく、防水シートにより、漏れを防ぎ、さらに、当て部が広いため保水力の大きく、そして装着していてもずれることがないため、作業や運動中でもずれなく、就寝中に多くの生理があってもすべて吸収する生理用品を提供する。【解決手段】布製の支持台と、支持台の上に裁置した表面本体２と、表面本体と支持台の間に挿入してあるパッドとからなり、パッドは複数の中綿と防水シートで構成すると共に、一方を略円形で他方を長形で構成する。【選択図】図１
2015116457.tif 000002
【特許請求の範囲】
【請求項１】
布製の支持台と、前記支持台の上に裁置した表面本体と、前記表面本体と、前記支持台の間に挿入してあるパットとからなり、前記パッドは複数の中綿と防水シートで構成すると共に、前記パッドは一方を略円形で他方を長形で構成してなる生理用品。
【請求項２】
パッドに設けた第１中綿には長手方向ミシン目を設け、第２中綿には前記長手方向に対して略直角に波状のミシン目を設けてなる請求項１項記載の生理用品。
【請求項３】
表面本体は、フリース生地に用いた請求項１項又は２項記載の生理用品。
【発明の詳細な説明】
【技術分野】
【０００１】  本発明は、生理用品、特に女性及び高齢者の子宮筋腫及び尿失禁に対応する布パッドに関する。
【背景技術】
【０００２】  女性は各種生理的な要因で局部に生理用品を使っている。ひとつはいわゆる生理が始まる又は始まる前に局部に生理用品を充てる。もう一つは尿失禁などにも使われることがある。尿失禁は大きく別けると、次の４つに分類されており、（１）腹圧性尿失禁（２）切迫性尿失禁（３）溢流性（いつりゅうせい）尿失禁（４）機能性尿失禁がある。クシャミなどによる生理的な反射や階段の昇り降りなどの動作がきっかけとなり、お腹に圧力が加わったときにおきる尿失禁を腹圧性尿失禁が女性の４割を超える２０００万人以上が悩まされている。【０００３】  以上のような女性特有の状況を解決するために生理用品が使われてきた。従来、生理用品は紙ナプキンを用いているものが多く、紙ナプキンは吸収性樹脂が含まれており、紙ナプキンでは、使用者によっては、素材により体との接触部に、かゆみや、かぶれが生じていた。【０００４】  紙ナプキン（ケミカル  ナプキン）には、各社様々に開発された高分子吸収体が入っており、薄く、動きやすく漏れにくい機能性が追及されている。その一方で、石油系の原料からつくられていることから、人体への影響（経皮毒）、使い捨てのためのゴミ問題、焼却による環境汚染（ダイオキシンなど）の問題を指摘されている。ダイオキシンや他の化学物質もたくさん含まれ、ナプキンが厚くなればなるほど吸収力をよくするために化学物質もたくさん含まれている。【０００５】一方、布ナプキンの生理用品もあり、図８において、２０１は布で構成された生理用品本体、２０２は支持台、２０３は支持台の臀部側に広がったあて部、２０４は前方を広く覆う羽部、２０５は中綿が入っているパッドで、一定幅の長方形となっている。生理用品本体２０１は、やわらかなニット素材でできている。また、羽部２０４は生理ショーツに取り付けるようになっている。パット２０５前部をあて部と言い局部があたるところである。（非特許文献１参照）【０００６】  また、生理用品では次のような技術が提案されている。すなわち、図９において吸収性を有する吸収本体１０１と、吸収本体１０１の機能を補う少なくとも１０１個の補助部材１０２〜１０４を備え、吸収本体１０１及び補助部材２〜４には、互いに係合し合い、吸収本体１０１に補助部材２０１〜２０４を着脱自在に連合するための連結部（スナップボタン１０１ｄ、４０１ｅ，１０１ｆ）が形成されている。補助部材１０２，１０３が吸収部本体から幅方向に張り出して、取り付けられて漏れを吸収する機能を備え、連携部が吸収本体１の長さ方向に沿って少なくとも１個形成され、吸収部本体には連携部が備え付けられたベルト部材１０１ｄが形成され、補助部材が平面視ほぼ円状となっており、補助部材の一部が、オーバーラップしている。（特許文献１参照）
【先行技術文献】
【特許文献】
【０００７】
【特許文献１】  特開２００６−３１１９１１号公報
【０００８】
【非特許文献１】ｈｔｔｐ：／／ｗｗｗ．ｓｉｍｐｌｅｍｉｎｄ．ｊｐ／  ｈｔｔｐ：／／ｗｗｗ．ｓｉｍｐｌｅｍｉｎｄ．ｊｐ／ｐｒｏｄｕｃｔｓ／ｄｅｔａｉｌ．ｐｈｐ？ｐｒｏｄｕｃｔ＿ｉｄ＝３２
【発明の概要】
【発明が解決しようとする課題】
【０００９】生理用品本体を取り付け時、紙ナプキンは、両面シールを剥がして取り付けをするが、布ナプキンは、ショーツに挟んで、ショーツに包みショーツ後ろ部分にて、スナップボタンで留める。スナップボタンで留めることにより、ずれる心配はないが、紙ナプキンの場合、両面シールでの固定となり、激しく動くことにより、ずれることがある。ずれることによりショーツの中で絡まり、本来、局部に当てないといけない部分が、横にずれて漏れてしまう。普通のショーツの場合は、生理用品本体と局部の間に少しの空間があり、一方、サニタリーショーツ（生理用ショーツ）を履き、（紙ナプキン）生理用品を装着すると、局部が密着し、べたつき感がある。【００１０】  また、従来の生理用布ナプキンは、パッドが薄く吸収力が弱い。あて部においてもパッドの幅が一定で狭いため横漏れしやすいという課題があった。また、特許文献１のような従来例では、一体型の生理用布ナプキンではなく、補助部材を別に取り付けることにより、スナップボタンで留めることで、でこぼこができ、あて部に刺激をあたえ、補助部材は吸収力が少なく漏れが生じる。さらに洗濯しにくく、厚みが均等であり乾きにくいという問題があった。
【課題を解決するための手段】
【００１１】上記従来の課題を解決するために、本発明では布製の支持台と、支持台の上に、裁置した表面本体と、表面本体と、支持台の間に挿入してあるパットとからなり、パッドは複数の中綿と非透過性フィルムで構成すると共に、パッドは一方を略円形で他方を長形で構成するようにしてある。【００１２】  これにより、複数の中綿により保水力が大きく、防水シートにより、漏れを防ぎ、さらに、当て部が広いため保水力の大きく、そして装着していてもずれることがないため、作業や運動中でもずれなく、就寝中に多くの生理があってもすべて吸収するという効果を有し、不眠、寝不足解消する。【００１３】また、本発明では、臀部にフィットし使用感、着用感がよくなるようデザイを瓢箪型に形成するとともに、使用時に股部との接触間がソフトになることから、使用感、着用感を向上でき、吸収面積、保水面積を広くできることから、横漏れを一層防止できる。【００１４】そして、本発明では、生理用布ナプキン全体の柔軟性、通気性を損ねることなく、一体型の安定感のある生理用布ナプキンに形成してある。【００１５】さらに、パッドの設けた第１中綿は中綿の長手方向ミシン目を設け、第２中綿は中綿に前記長手方向に対して略直角に波状のミシン目を設けてあり、ミシン目のところで漏れを防ぐ構成としてある。そして、三層構造ではあるが、コンパクトに折りたたみが出来るよう、構成されている。
【発明の効果】
【００１６】上記の課題手段を使うことにより、横漏れを防止し、フリース生地で、水洗いでも十分に汚れが落ち、繰り返し洗濯して使用できる。保水性吸水性が優れ排泄感、漏洩感もなく、乾きが早く長時間使用可能という効果があり排泄された水分を裏側に透過させ、生地が撥水性に富んでいるため透過した水分が逆流しにくく、肌が濡れたままになる事を防止する。【００１７】以上説明したように本発明は、身体の股部分に対応する前半部の長手方向が臀部に瓢箪型に形成されている。従って、子宮筋腫、婦人病などで月経時、出血が多い場合でも、前半部で吸収でき横漏れを防止し、安心して使用できるという実用上優れた効果を奏する。また、本発明は、臀部に対応する後半部分（瓢箪型）が後端になるに従って幅が広がり形成されて、吸収性、保水性を向上できる。【００１８】また、本発明の女性用生理用品は、二通り使用できる。第一に子宮筋腫で月経が多い人が、安心して使用でき、頻尿時にも、横漏れを防止し、第二に吸収した保水、吸水を逆流させず、使い心地、環境面の配慮をいかせた、２ＷＡＹパッドの技術的手段を採るため、どのような状況が発生しても漏れや被害の発生が起こらないようにできる。
【図面の簡単な説明】
【００１９】
【図１】本発明の一実施例である  表面本体から見た図
【図２】本発明の一実施例である  一部断面図
【図３】本発明の一実施例である  裏から見た図
【図４】本発明の一実施例である  第１中綿表面図
【図５】本発明の一実施例である  第２中綿表面図
【図６】本発明の一実施例である  防水シートを示す図
【図７】本発明の一実施例である  三層構造のパットを表出す図
【図８】従来例を示す図
【図９】他の従来例を示す図
【図１０】他の従来例の補助部材を示す図
【発明を実施するための形態】
【００２０】  以下、本発明の実施の形態図面を用いて説明する。
【実施例】
【００２１】  図１は本発明の生理用品の表面（肌に当たる面）、図２は図１における本発明の生理用品１のＡ−Ａ断面図を示す。図３は本発明の生理用品の裏面（外面）である。図１においては生理用品本体１の表面本体、３は裏面、４は表面本体２と裏面３の間に設けたパッドである。本発明では、パッド４は第１中綿４と前記第１中綿５よりも薄く構成した第２中綿６とで構成されている。７は防水シートである。第１中綿５と第２中綿６と防水シート７は先に加工して一体化し、中心中央部８を構成している。中心中央部８は生理時に落ちてきた汚物を吸収するようになっている。また、生理用品本体１は中央で幅が狭くなっている中央部９と臀部１０と、女性局部に沿う前部１２で構成してある。また、パッド４と防水シート７を表面本体１と裏面３の間に挿入して、全周で固定するためのミシン目１３を入れてある。１４は吸収した汚物が周囲に漏れないようにするための第１ミシン目、１５は第１ミシン目の一定間隔内側に設けた１６は中心軸に儲けた第３ミシン目である。１７は下着にとめるためのボタンである。【００２２】図４は第１中綿５、第２中綿６をあらわしている図であり、あらかじめ縦方向にミシン目１９を入れてある。横上のミシン目２０は長手方向に吸収した汚物が広がりやすく、横方向には広がらないようにするために設けたものである。【００２３】図５は第２中綿６をあらわしている図であり、波状のミシン目２０を入れてあり、裏面３に近い側にポリエチレンフィルムと一体にして縫っている。【００２４】  生理時には経血が始まると局部から本発明の生理用品本体１に経血が落ちてきて、表面本体２に到達して、表面本体２を通過して第１中綿５に吸収され、表面本体２の表面に広がる。表面本体２の表面に広がった経血は量が多くなるにしたがって表面本体２を通過し、第１中綿５に吸収されていく。第１中綿５は一定量以下の経血の場合はこの第１中綿５内で吸収されて、それ以上広がることはないが、一定量以上の経血になれば、第１中綿５の内部に染み込み、また、一方で第１中綿５の表面全体に広がるが、第１ミシン目１４があるため、これ以上外側には広がらず、第１中綿５の内部を通過して第２中綿に達する。【００２５】第１中綿５には、吸収力アップするよう、あらかじめ縦で波状にミシン目を入れて、第１中綿５から突き抜けて、第２中綿６に、中央部に広がっていき、第１中綿５で中央部から後部に広がっていき、後部全体に広がっても、表面本体１にはミシン目があるので、これ以上広がらない。【００２６】第２中綿６も、あらかじめ、横で波状にミシン目を入れて、第１中綿５同様、吸収力アップする。表面本体２に、ミシン目を多く入れると、局部のデリケートな部分を傷めるため、第１中綿５、第２中綿６にあらかじめミシン目を先に入れた構成となっている。【００２７】したがって、表面本体２には、ミシン目をあらかじめ少なくして、第１中綿５、第２中綿６にミシン目を入れて、同じ方向にミシン目を入れると、第１中綿５、第２中綿６の中綿の中でうまく、拡散できない。しかしながら、第１中綿５と、第２中綿６の縦上と横波状にミシン目を入れることにより、均等に内部拡散層１８に広がっていく。【００２８】第２中綿６では、中��中央部８に広がっていくが、第２中綿６裏面は、ポリエチレンフィルム生地を使用し、防水性がある構成となっている。【００２９】次に、裏面３の裏生地は、防水シートを第１中綿５、第２中綿６、防水シート７の順で、表面本体２のフリース生地と一緒に合体させず、第１中綿５、第２中綿６、防水シート７の順でパットのみを、先に完成させる。【００３０】次に、第１中綿５、第２中綿６、防水シート７を合体させたパットを表面本体２のフリース生地と縫い合わせる。【００３１】三層構造に構成されていて第１中綿、第２中綿を通過し、防水シートまで通過し、広がりをここで止める。【００３２】横漏れ防止は、縦状又は波状に形成したミシン目があることにより吸収する効果が大きい。すなわち、ミシン目を設けることにより第１中綿５と表面本体２のフリース生地と、全周ミシン目１３と中央部中綿の端に空間をあらかじめ設けて、通気層１１となり、蒸れる心配がない。また、表面本体２、裏面３の生地に設けたミシン目１８を壁として広がりを防ぐことができる。【００３３】表面本体２に設けたミシン目は、横漏れ（ギャザー）の役割を果たすよう、水分が周囲に漏出するのを防止するとともに、本体裏面防水生地３ミシン目１３にて、されに漏れを防止するよう構成されている。【００３４】  以上説明してきたように、本発明の生理用品は経血が多い場合でも確実に漏れがなく、確実にとめることが出来る。【００３５】ここで、漏れ量の試験結果を以下に示す。
試験方法
２３℃、５０％（ダルトン製恒温恒湿室）の温湿状態、蒸留水の入った容器に試供品約２０分間浸漬した後、吊り下げて雫が垂れなくなった時点で重量を測定した。
強度測定装置（インストロン５５６５）にて荷重を加えて一定時間保持した後の重量を開始時重量と比較した。【００３６】試験結果
試験結果は以下の通りである。このデーターから以下の半分の量となっている。
供試品名                    開始時重量        終了時重量        水漏れ量
単位（ｇ）                        （ｇ）            （ｇ）          （ｇ）
▲１▼  布ナプキン（従来）    １４２．９      １４２．４          ０．５
▲２▼  布ナプキン（本発明）  １６０．３      １６０．１          ０．２【００３７】ここで、吸水量の試験結果を以下に示す。
試験方法
２３℃、５０％（ダルトン製恒温恒湿室）の温湿状態、蒸留水の入った容器に試供品約２０分間浸漬した後、吊り下げて雫が垂れなくなった時の重量を測定した。（乾燥時）【００３８】試験結果
試験結果は以下の通りである。
供試品名                    乾燥時重量        吸水時重量        吸水量
単位（ｇ）                    （ｇ）            （ｇ）          （ｇ）
▲１▼  布ナプキン（従来）    ４２．２        １４２．９      １００．７
▲２▼  布ナプキン（本発明）  ３６．５        １６０．３      １２３．８
このデーターから吸水量から２割以上多いことがわかる。【００３９】図４において、縦状にミシン目を入れることにより吸収性が高くなり、図５においては、波状にミシン目を入れることにより、漏れを防ぐ役割を果たし、図７に置いては、防水シートを使用し、縫合わされ一体となり、レバー状に固まりが落ち布製の表面本体２に到達して、一部吸収され中心中央部で広がる。【００４０】図４については、第１中綿５に到達し、縦ミシン目があることにより、後部に広がり、第１中綿から突き抜けて図５第２中綿６に到達するが、第２中綿６裏面、ポリエチレンフィルムで構成されている。【００４１】パット４は表面本体２に直接合体させるのではなく、図７は三層高層のパットと、図７と表面本体２にフリース生地と合体させる。縦状又は波状に形成したミシン目があることにより吸収する効果が大きく、すなわち、ミシン目を設けることにより図４第１中綿と表面本体の間に空間が出来、その空間により吸収量が増す。また、ミシン目が壁（ギャザー）横漏れの広がりを防ぐことができる。【００４２】図５については、波状に縫合わされ一体となり、吸水性が高くなり、拡散が速く防水機能と製品の強度を上げる二つの役割を果たしている。すなわち、排泄された水分を裏側に透過させ、生地が撥水性に富んでいるため透過した水分が逆流しにくく、肌が濡れたままになる事を防止する。スナップボタンで固定されるので、ずれたり転落する心配がない。【００４３】女性局部に生理用品をショーツのクロッチに羽部とスナップボタンで包み固定させ動かさないようにすることができ生理時、レバー状に固まりが落ち布製の支持台と、支持台の上に、裁置した表面本体と、支持台の間に挿入してある、パット円形部分（瓢箪形）ギャザー部で、横漏れを防止し、他方を内部拡散層に広がるよう構成してある。
本発明では、パットの一方を円形に他方を長形に構成しているが、臀部に多く経血がたまる為、面積を広くし、前方局部は漏れを防ぐため長く形成してある。【００４４】女性用  生理用品は、体に与える柔軟性、通気性への悪影響を最小限に留めている。無駄な部分を省くよう、外からのミシン目を臀部に位置するよう、瓢箪形状に広く作り、構成されている。睡眠時になどに長時間排出される、月経、または、尿の漏れを防止する為に構造されてある。【００４５】中パットにミシン目を入れることにより、吸収性、保水性のよくなり、肌に当てるフリース生地と一緒に縫うのではなく、中パット複数、三層構成された中綿と、肌に当てるフリース生地を合体させる。【００４６】三層構造であり、コンパクト且つ簡易な構成とすることにより、装着時の安心感をより向上させ、常時持ち歩く場合など、携帯性を考慮したものである。横漏れを防止し、フリース生地で、汚れが綺麗に、かつ、水洗いでも十分に汚れが落ち、保水性、吸水性が優れて、排泄感、漏洩感もなく、乾きが早く、長時間使用可能という効果がある。
【産業上の利用可能性】
【００４７】以上説明してきたように、本発明では女性の生理時の不快感をなくすだけでなく、保水力を高め、漏れを防ぎ、ずれをなくすなどにより、女性が活動しやすくするため即ち、働きやすくなるため社会的にも経済的にも大きな貢献をするものであり、産業上の利用価値は絶大なものとなる。
【符号の説明】
【００４８】１  生理用品
２  表面本体
３  裏面
４  パット
５  第１中綿
６  第２中綿
７  防水シート
８  中心中央部
９  中央部
１０  臀部
１１  通気層
１２  前部
１３  全周ミシン目
１４  第１ミシン目
１５  第２ミシン目
１６  第３ミシン目
１７  ボタン
１８  内部拡散層
１９  第１中綿  縦ミシン目
２０  第２中綿  波状ミシン目
【図１】
2015116457.tif 000003
【図２】
2015116457.tif 000004
【図３】
2015116457.tif 000005
【図４】
2015116457.tif 000006
【図５】
2015116457.tif 000007
【図６】
2015116457.tif 000008
【図７】
2015116457.tif 000009
【図８】
2015116457.tif 000010
【図９】
2015116457.tif 000011
【図１０】
2015116457.tif 000012
【手続補正書】
【提出日】平成26年12月5日(2014.12.5)
【手続補正１】
【補正対象書類名】特許請求の範囲
【補正対象項目名】請求項１
【補正方法】変更
【補正の内容】
【請求項１】
布製の支持台と、前記支持台の上に裁置した前記表面本体と、前記支持台の間に挿入してあるパッドとからなり、前記パッドは複数の中綿と防水シートで構成すると共に、前記パッドは一方を円形で前部分（局部）に当たる部分を長方形で構成してなり、前記パッドに設けた第１中綿には長手方向による糸によるミシン目を設け、第２中綿には長手方向に対して直角に波状の糸によるミシン目を設けてなる生理用品。
【手続補正２】
【補正対象書類名】明細書
【補正対象項目名】００１１
【補正方法】変更
【補正の内容】
【００１１】  上記従来の課題を解決するために、本発明では布製の支持台と、前記支持台の上に裁置した前記表面本体と、前記支持台の間に挿入してあるパッドとからなり、前記パッドは複数の中綿と防水シートで構成すると共に、前記パッドは一方を円形で前部分（局部）に当たる部分を長方形で構成してなり、前記パッドに設けた第１中綿には長手方向による糸によるミシン目を設け、第２中綿には長手方向に対して直角に波状の糸によるミシン目を設ける構成するようにしてある。
【手続補正３】
【補正対象書類名】明細書
【補正対象項目名】００１３
【補正方法】変更
【補正の内容】
【００１３】  また、本発明では、臀部にフィットし使用感、着用感がよくなるようデザインを瓢箪型に形成するとともに、使用時に股部との接触間がソフトになることから、使用感、着用感を向上でき、吸収面積、保水面積を広くできることから、横漏れを一層防止できる。
【手続補正４】
【補正対象書類名】明細書
【補正対象項目名】００１５
【補正方法】変更
【補正の内容】
【００１５】  さらに、前記パッドに設けた第１中綿は中綿の長手方向ミシン目を設け、第２中綿は中綿に前記長手方向に対して直角に波状の糸によるミシン目を設けてあり、糸によるミシン目のところで漏れを防ぐ構成としてある。そして、三層構造ではあるが、コンパクトに折りたたみが出来るよう、構成されている。
【手続補正５】
【補正対象書類名】明細書
【補正対象項目名】００１９
【補正方法】変更
【補正の内容】
【００１９】
【図１】本発明の一実施例である表面本体から見た図
【図２】本発明の一実施例である一部断面図
【図３】本発明の一実施例である裏から見た図
【図４】本発明の一実施例である第１中綿表面図
【図５】本発明の一実施例である第２中綿表面図
【図６】本発明の一実施例である防水シートを示す図
【図７】本発明の一実施例である三層構造のパッドを表出す図
【図８】従来例を示す図
【図９】他の従来例を示す図
【図１０】他の従来例の補助部材を示す図
【手続補正６】
【補正対象書類名】明細書
【補正対象項目名】００２１
【補正方法】変更
【補正の内容】
【００２１】図１は本発明の生理用品の表面（肌に当たる面）、図２は図１における本発明の生理用品１のＡ−Ａ断面図を示す。図３は本発明の生理用品の裏面（外面）である。図１においては、生理用品本体１の表面本体、３は裏面、４は表面本体２と裏面３の間に設けたパッドである。本発明では、パッド４は第１中綿４と前記第１中綿５よりも薄く構成した第２中綿６とで構成されている。７は防水シートである。第１中綿５と第２中綿６と防水シート７は先に加工して一体化し、中心中央部８を構成している。中心中央部８は生理時に落ちてきた汚物を吸収するようになっている。また、生理用品本体１は中央で幅が狭くなっている中央部９と臀部１０と、女性局部に沿う前部１２で構成してある。また、
パッド４と防水シート７を表面本体１と裏面３の間に挿入して、全周で固定するための糸によるミシン目１３を入れてある。１４は吸収した汚物が周囲に漏れないようにするための第１ミシン目、１５は糸による第１ミシン目１４の一定間隔内側に設けてある中心軸に設けた糸による第３ミシン目である。１７は下着にとめるためのボタンである。
【手続補正７】
【補正対象書類名】明細書
【補正対象項目名】００４１
【補正方法】変更
【補正の内容】
【００４１】パッド４は表面本体２を表面本体２に直接合体させるのではなく、図７は三層高層のパッド４と、図７と表面本体２にフリース生地と合体させる。縦状又は波状に形成した糸によるミシン目があることにより吸収する効果が大きく、すなわち、糸によるミシン目を設けることにより図４第１中綿と表面本体２の間に空間が出来、その空間により吸収量が増す。また、糸によるミシン目が壁（ギャザー）横漏れの広がりを防ぐことができる。
【手続補正８】
【補正対象書類名】明細書
【補正対象項目名】００４３
【補正方法】変更
【補正の内容】
【００４３】  女性局部に生理用品をショーツのクロッチに羽部とスナップボタンで包み固定させ動かさないようにすることができ生理時、レバー状に固まりが落ち布製の支持台と、支持台の上に、裁置した表面本体２と、支持台の間に挿入してある、パッド４の円形部分のギャザー部で、横漏れを防止し、他方を内部拡散層に広がるよう構成してある。本発明では、パッドの一方を円形に他方を長方形にして繋ぎ合わせた構成しているが、臀部に多く経血がたまる為、面積を広くし、前方局部は漏れを防ぐため長く形成してある。
【手続補正９】
【補正対象書類名】明細書
【補正対象項目名】００４５
【補正方法】変更
【補正の内容】
【００４５】中パッドに糸によるミシン目を入れることにより、吸収性、保水性のよくなり、肌に当てるフリース生地と一緒に縫うのではなく、中パッド複数、三層構成された中綿と、肌に当てるフリース生地を合体させる。
【手続補正書】
【提出日】平成27年3月11日(2015.3.11)
【手続補正１】
【補正対象書類名】特許請求の範囲
【補正対象項目名】全文
【補正方法】変更
【補正の内容】
【特許請求の範囲】
【請求項１】
布製の支持台と、前記支持台の上に裁置した表面本体と、前記表面本体と前記支持台の間に挿入してあるパッドとからなり、前記パッドは複数の中綿と防水シートで構成すると共に、前記パッドは一方を円形で、局部に当たる部分を長方形で構成してなり、前記パッドに設けた第１中綿には長手方向に糸によるミシン目を設け、第２中綿には前記長手方向に対して直角に波状の糸によるミシン目を設けてなる生理用品。
【手続補正２】
【補正対象書類名】明細書
【補正対象項目名】００１１
【補正方法】変更
【補正の内容】
【００１１】  上記従来の課題を解決するために、布製の支持台と、前記支持台の上に裁置した表面本体と、前記表面本体と前記支持台の間に挿入してあるパッドとからなり、前記パッドは複数の中綿と防水シートで構成すると共に、前記パッドは一方を円形で、局部に当たる部分を長方形で構成してなり、前記パッドに設けた第１中綿には長手方向に糸によるミシン目を設け、第２中綿には前記長手方向に対して直角に波状の糸によるミシン目を設けてなるよう構成してある。
【手続補正３】
【補正対象書類名】明細書
【補正対象項目名】００１３
【補正方法】変更
【補正の内容】
【００１３】  また、本発明では、臀部にフィットし使用感、着用感がよくなるようデザインを瓢箪型に形成するとともに、使用時に股部との接触間がソフトになることから、使用感、着用感を向上でき、吸収面積、保水面積を広くできることから、横漏れを一層防止できる。
【手続補正４】
【補正対象書類名】明細書
【補正対象項目名】００１５
【補正方法】変更
【補正の内容】
【００１５】  さらに、前記パッドに設けた第１中綿は中綿の長手方向ミシン目を設け、第２中綿は中綿に前記長手方向に対して直角に波状の糸によるミシン目を設けてあり、糸によるミシン目のところで漏れを防ぐ構成としてある。そして、三層構造ではあるが、コンパクトに折りたたみが出来るよう、構成されている。
【手続補正５】
【補正対象書類名】明細書
【補正対象項目名】００１９
【補正方法】変更
【補正の内容】
【００１９】
【図１】本発明の一実施例である表面本体から見た図
【図２】本発明の一実施例である一部断面図
【図３】本発明の一実施例である裏から見た図
【図４】本発明の一実施例である第１中綿表面図
【図５】本発明の一実施例である第２中綿表面図
【図６】本発明の一実施例である防水シートを示す図
【図７】本発明の一実施例である三層構造のパッドを表出す図
【図８】従来例を示す図
【図９】他の従来例を示す図
【図１０】他の従来例の補助部材を示す図
【手続補正６】
【補正対象書類名】明細書
【補正対象項目名】００２１
【補正方法】変更
【補正の内容】
【００２１】  図１は本発明の生理用品の表面（肌に当たる面）、図２は図１における本発明の生理用品１のＡ−Ａ断面図を示す。図３は本発明の生理用品の裏面（外面）である。図１においては、生理用品本体１の表面本体、３は裏面、４は表面本体２と裏面３の間に設けたパッドである。本発明では、パッド４は第１中綿４と前記第１中綿５よりも薄く構成した第２中綿６とで構成されている。７は防水シートである。第１中綿５と第２中綿６と防水シート７は先に加工して一体化し、中心中央部８を構成している。中心中央部８は生理時に落ちてきた汚物を吸収するようになっている。また、生理用品本体１は中央で幅が狭くなっている中央部９と臀部１０と、女性局部に沿う前部１２で構成してある。また、パッド４と防水シート７を表面本体１と裏面３の間に挿入して、全周で固定するための糸によるミシン目１３を入れてある。１４は吸収した汚物が周囲に漏れないようにするための第１ミシン目、１５は糸による第１ミシン目１４の一定間隔内側に設けてある中心軸に設けた糸による第３ミシン目である。１７は下着にとめるためのボタンである。
【手続補正７】
【補正対象書類名】明細書
【補正対象項目名】００２２
【補正方法】変更
【補正の内容】
【００２２】  図４は第１中綿５、第２中綿６をあらわしている図であり、あらかじめ縦方向にミシン目１９を入れてある。横上の糸によるミシン目２０は長手方向に吸収した汚物が広がりやすく、横方向には広がらないようにするために設けたものである。
【手続補正８】
【補正対象書類名】明細書
【補正対象項目名】００２３
【補正方法】変更
【補正の内容】
【００２３】  図５は第２中綿６をあらわしている図であり、波状の糸によるミシン目２０を入れてあり、裏面３に近い側にポリエチレンフィルムと一体にして縫っている。
【手続補正９】
【補正対象書類名】明細書
【補正対象項目名】００２４
【補正方法】変更
【補正の内容】
【００２４】生理時には経血が始まると局部から本発明の生理用品本体１に経血が落ちてきて、表面本体２に到達して、表面本体２を通過して第１中綿５に吸収され、表面本体２の表面に広がる。表面本体２の表面に広がった経血は量が多くなるにしたがって表面本体２を通過し、第１中綿５に吸収されていく。第１中綿５は一定量以下の経血の場合はこの第１中綿５内で吸収されて、それ以上広がることはないが、一定量以上の経血になれば、第１中綿５の内部に染み込み、また、一方で第１中綿５の表面全体に広がるが、第１糸によるミシン目１４があるため、これ以上外側には広がらず、第１中綿５の内部を通過して第２中綿に達する。
【手続補正１０】
【補正対象書類名】明細書
【補正対象項目名】００２５
【補正方法】変更
【補正の内容】
【００２５】  第１中綿５には、吸収力アップするよう、あらかじめ縦で波状に糸によるミシン目を入れて、第１中綿５から突き抜けて、第２中綿６に、中央部に広がっていき、第１中綿５で中央部から後部に広がっていき、後部全体に広がっても、表面本体１には糸によるミシン目があるので、これ以上広がらない。
【手続補正１１】
【補正対象書類名】明細書
【補正対象項目名】００２６
【補正方法】変更
【補正の内容】
【００２６】第２中綿６も、あらかじめ、横で波状に糸によるミシン目を入れて、第１中綿５同様、吸収力アップする。表面本体２に、糸によるミシン目を多く入れると、局部のデリケートな部分を傷めるため、第１中綿５、第２中綿６にあらかじめ糸によるミシン目を先に入れた構成となっている。
【手続補正１２】
【補正対象書類名】明細書
【補正対象項目名】００２７
【補正方法】変更
【補正の内容】
【００２７】  したがって、表面本体２には、糸によるミシン目をあらかじめ少なくして、第１中綿５、第２中綿６に糸によるミシン目を入れて、同じ方向に糸によるミシン目を入れると、第１中綿５、第２中綿６の中綿の中でうまく、拡散できない。しかしながら、第１中綿５と、第２中綿６の縦上と横波状に糸によるミシン目を入れることにより、均等に内部拡散層１８に広がっていく。
【手続補正１３】
【補正対象書類名】明細書
【補正対象項目名】００３２
【補正方法】変更
【補正の内容】
【００３２】  横漏れ防止は、縦状又は波状に形成した糸によるミシン目があることにより吸収する効果が大きい。すなわち、糸によるミシン目を設けることにより第１中綿５と表面本体２のフリース生地と、全周糸によるミシン目１３と中央部中綿の端に空間をあらかじめ設けて、通気層１１となり、蒸れる心配がない。また、表面本体２、裏面３の生地に設けた糸によるミシン目１８を壁として広がりを防ぐことができる。
【手続補正１４】
【補正対象書類名】明細書
【補正対象項目名】００３３
【補正方法】変更
【補正の内容】
【００３３】  表面本体２に設けた糸によるミシン目は、横漏れ（ギャザー）の役割を果たすよう、水分が周囲に漏出するのを防止するとともに、本体裏面防水生地３糸によるミシン目１３にて、されに漏れを防止するよう構成されている。
【手続補正１５】
【補正対象書類名】明細書
【補正対象項目名】００３９
【補正方法】変更
【補正の内容】
【００３９】  図４において、縦状に糸によるミシン目を入れることにより吸収性が高くなり、図５においては、波状に糸によるミシン目を入れることにより、漏れを防ぐ役割を果たし、図７に置いては、防水シートを使用し、縫合わされ一体となり、レバー状に固まりが落ち布製の表面本体２に到達して、一部吸収され中心中央部で広がる。
【手続補正１６】
【補正対象書類名】明細書
【補正対象項目名】００４０
【補正方法】変更
【補正の内容】
【００４０】図４については、第１中綿５に到達し、縦糸によるミシン目があることにより、後部に広がり、第１中綿から突き抜けて図５第２中綿６に到達するが、第２中綿６裏面、ポリエチレンフィルムで構成されている。
【手続補正１７】
【補正対象書類名】明細書
【補正対象項目名】００４１
【補正方法】変更
【補正の内容】
【００４１】パッド４は表面本体２を表面本体２に直接合体させるのではなく、図７は三層高層のパッド４と、図７と表面本体２にフリース生地と合体させる。縦状又は波状に形成した糸によるミシン目があることにより吸収する効果が大きく、すなわち、糸によるミシン目を設けることにより図４第１中綿と表面本体２の間に空間が出来、その空間により吸収量が増す。また、糸によるミシン目が壁（ギャザー）横漏れの広がりを防ぐことができる。
【手続補正１８】
【補正対象書類名】明細書
【補正対象項目名】００４３
【補正方法】変更
【補正の内容】
【００４３】  女性局部に生理用品をショーツのクロッチに羽部とスナップボタンで包み固定させ動かさないようにすることができ生理時、レバー状に固まりが落ち布製の支持台と、支持台の上に、裁置した表面本体２と、支持台の間に挿入してある、パッド４の円形部分のギャザー部で、横漏れを防止し、他方を内部拡散層に広がるよう構成してある。本発明では、パッドの一方を円形に他方を長方形にして繋ぎ合わせた構成しているが、臀部に多く経血がたまる為、面積を広くし、前方局部は漏れを防ぐため長く形成してある。
【手続補正１９】
【補正対象書類名】明細書
【補正対象項目名】００４４
【補正方法】変更
【補正の内容】
【００４４】  女性用  生理用品は、体に与える柔軟性、通気性への悪影響を最小限に留めている。無駄な部分を省くよう、外からの糸によるミシン目を臀部に位置するよう、瓢箪形状に広く作り、構成されている。睡眠時になどに長時間排出される、月経、または、尿の漏れを防止する為に構造されてある。
【手続補正２０】
【補正対象書類名】明細書
【補正対象項目名】００４５
【補正方法】変更
【補正の内容】
【００４５】中パッドに糸によるミシン目を入れることにより、吸収性、保水性のよくなり、肌に当てるフリース生地と一緒に縫うのではなく、中パッド複数、三層構成された中綿と、肌に当てるフリース生地を合体させる。
【手続補正２１】
【補正対象書類名】明細書
【補正対象項目名】００４８
【補正方法】変更
【補正の内容】
【００４８】１  生理用品
２  表面本体
３  裏面
４  パッド
５  第１中綿
６  第２中綿
７  防水シート
８  中心中央部
９  中央部
１０  臀部
１１  後部
１２  前部
１３  全周糸のよるミシン目
１４  第１糸によるミシン目
１５  第２糸によるミシン目
１６  第３糸によるミシン目
１７  ボタン
１８  第１中綿  縦糸によるミシン目
１９  第２中綿  波状糸によるミシン目